(57)【要約】【課題】  ブリスターパック等の商品パック吊下げフックに関し、スーパーマーケットやコンビニエンスストアの商品の陳列において、商品パックの落下防止に用いて好適な商品吊下げフック用商品落下防止部材を提供する。【解決手段】  取付部材にロッド基部を取付け、他端に折曲部を有する商品パック吊下げフックにおいて、１つまたは複数の商品落下防止部材をロッドに嵌着し、該商品落下防止部材間のロッドをブリスターパック等の商品パックの吊下げ孔に挿通孔する状態で、商品パックを吊下げるように構成し、商品の落下を防止する。【選択図】  図３
0003104899.tif 000002
【実用新案登録請求の範囲】
【請求項１】
取付部材にロッド基部を取付け、他端に折曲部を有する商品等吊下げフックにおいて、
１つ又は複数の商品落防止部材をロッドに装着し、該商品落下防止部材が、穴があいている袋物や、ロッドに引っかかる商品を、商品落下防止部材間に吊下げた時に落下しにくいように構成したことを特徴とする商品等吊下げフック用商品落下防止部材。
【請求項２】
商品落下防止部材が弾性リングまたは短い弾性パイプ状であることを特徴とする請求項１記載の商品等吊下げフック用商品落下防止部材。
【請求項３】
商品等の吊下げ孔の内径が、商品落下防止部材の外径より僅かに大きく形成されていることを特徴とする請求項１記載の商品等吊下げフック用商品落下防止部材。
【考案の詳細な説明】
【技術分野】
【０００１】  本考案は、穴のあいた袋物やブリスターパック等の商品当吊下げフック用商品落下防止部材に関し、スーパーマーケットやコンビニエンスストアの商品の陳列に於いて、商品落下防止に用いて好適な商品等吊下げフック用商品落下防止部材。
【背景技術】
【０００２】  従来、スーパーマーケットやコンビニエンスストアの商品の陳列に於いて、例えば、吊下げられる商品パックをロッドの前方へ押し出すために、バネを利用した複雑な構造のものが提案されており、いずれもロッド先端部の折曲部で止められているものが知られている。【０００３】  このような従来の商品パック吊下げフックでは、ロッドの折曲部のみで商品の落下防止ができるものとして明細書中に記載されている。（例えば、特許文献１，２参照）【０００４】
【特許文献１】  特開平８−１３１３０２号公報
【特許文献２】  特開平８−１４０７９０号公報
【考案の開示】
【考案が解決しようとする課題】
【０００５】  上述した特許文献１の商品吊下型陳列器具においては、板バネで商品をロッドの前方へ押し出すように構成されており、ロッド先端部が折り曲げられてストッパーとなっている商品吊下型陳列器具が開示されている。【０００６】  また、上述した特許文献２の商品吊下型陳列器具においても、コイルバネで商品をロッドの前方へ押し出すように構成されており、ロンド先端部が折り曲げられてストッパーとなっている商品吊下型陳列器具が開示されている。【０００７】  これらの特許文献１，２に開示された商品吊下型陳列器具は、いずれも複雑な構造で部品数も多く、製造コストが高く組立てにも手間のかかるものであった。【０００８】  本考案はこのような事情に鑑みてなされたものであり、極めて簡単な構造でコストも安く組立ても容易な商品等吊下げフック用商品落下防止部材を提供することを目的とするものである。
【課題を解決するための手段】
【０００９】  このような目的に応えるために本考案（請求項１記載の考案）に係る商品等吊下げフック用商品落下防止部材は、取付部材にロッド基部を取付け、他端に折曲部を有する商品パック吊下げフックにおいて、１つ又は複数の商品落下防止部材をロッドに嵌着し、該商品落下防止部材間のロッドを穴のあいた袋物やブリスターパック等の商品等の吊下げ孔に挿通する状態で、商品等を吊下げるように構成したことを特徴とするものである。【００１０】  本考案（請求項２記載の考案）に係る商品等吊下げフック用商品落下防止部材は、弾性リングまたは短い弾性パイプ状であることを特徴とするものである。【００１１】  また、本考案（請求項３記載の考案）に係る商品等吊下げフック用商品落下防止部材間に吊下げられる商品等の吊下げ孔の内径が、ストッパーの外径より僅かに大きく形成されていることを特徴とするものである。
【考案の効果】
【００１２】  以上説明したように、本考案に係る商品等吊下げフック用商品落下防止部材によれば、商品等の吊下げ時に於いて、商品の落下防止効果を有するものある。【００１３】  すなわち、図３乃至図４に示すように、商品等の吊下げ孔の上部は、商品パック自身の自重によってロッドに当接されているので、商品等の吊下げ孔の上部側面は商品落下防止部材によってスライドしないようになっている。【００１４】  また、商品等をロッドから取り外す時は、商品等の吊下げ孔の内径が、商品落下防止部材の外径より僅かに大きく形成されているので、容易に取り外すことができる。
【考案を実施するための最良の形態】
【００１５】  図面において、図１は本考案に係る商品等吊下げフック用商品落下防止部材を取り付けた一実施例の形態を示す斜視図である。図２は本考案に係る商品等吊下げフック用商品落下防止部材を取り付けた他の実施例の形態を示す斜視図である。図３は使用状態を示す斜視図である。図４は図３の矢印Ａ−Ａから見た部分矢視図である。【００１６】  これらの図において、取付部材３にはロッド１の基部が取付部４にて強固に固定されている。取付部材３は商品陳列棚のフレーム（図示せず）に係止部３１，３２を介して取り付けられている。ロッド１の先端は落下防止用の折曲部１１であるが、本考案の場合は、前述した特許文献１，２のように、この折曲部１１のみで商品の落下防止とするのではなく、商品等吊下げフック用の商品落下防止部材２，２１等が、弾性リングまたは短い弾性パイプ状に形成されており、１つ又は複数の商品落下防止部材２乃至２１をロッドに嵌着し、該商品落下防止部材２乃至２１間のロッド１を穴のあいた袋物やブリスターパック等の商品等吊下げパック５の吊下げ孔５１に挿通する状態で、商品パックを吊下げるように構成しているので、商品等吊下げパック５の落下防止となっているものである。【００１７】  すなわち、商品等吊下げパック５の吊下げ孔５１の上部は、商品等吊下げパック５自身の自重によってロッド１に当接されているので、商品等吊下げパック５の吊下げ孔５１の上部側面は商品落下防止部材２乃至２１によってスライドしないようになっているので、その結果、商品等吊下げパック５の落下防止となっている。【００１８】  また、商品等吊下げフックに吊下げられる商品等吊下げパック５の吊下げ孔５１の内径が、商品落下防止部材２乃至２１の外径より僅かに大きく形成されているので、ロッドから商品等吊下げパックを取り外す場合も容易である。【００１９】  また、上述した実施の形態では、本考案に係る商品等吊下げフック用商品落下防止部材は、取付部材にロッド基部を取付け、他端に折曲部を有する商品等吊下げフックにおいて、１つ又は複数の商品落下防止部材をロッドに嵌着し、該商品落下防止部材間のロッドをブリスターパック等の商品パックの吊下げ孔に挿通する状態で、商品パックを吊下げるように構成しているが、シングルフックに限らず、また、商品落下防止部材の形状も本考案の技術範囲内で形状を変更することも可能である。
【図面の簡単な説明】
【００２０】
【図１】本考案に係る商品等吊下げフック用商品落下防止部材を取り付けた一実施例の形態を示す斜視図である。
【図２】本考案に係る商品等吊下げフック用商品落下防止部材を取り付けた他の実施の形態を示す斜視図である。
【図３】使用状態を示す斜視図である。
【図４】図３の矢印Ａ−Ａから見た部分矢視図である。
【符号の説明】
【００２１】  １・・・・・ロッド
１１・・・・・折曲部
２・・・・・商品落下防止部材
２１・・・・・商品落下防止部材
３・・・・・取付部材
３１・・・・・係止部
３２・・・・・係止部
４・・・・・取付部
５・・・・・商品等吊下げパック
５１・・・・・吊下げ孔
【図１】
0003104899.tif 000003
【図２】
0003104899.tif 000004
【図３】
0003104899.tif 000005
【図４】
0003104899.tif 000006